(57)【要約】  ウェブの第１の側に第１の印像を印刷するための、第１の直径（ＲＰ１）を有する第１の版胴（２２）と、ウェブ（１２）の第２の側に第２の印像を印刷するための、第１の直径（ＲＰ１）とは異なる第２の直径（ＲＰ２）を有する第２の版胴（２８）とが設けられた、第１の側及び第２の側を有するウェブ（１２）を印刷するためのウェブ印刷機（１０）が提供される。ウェブを印刷する方法も提供される。
2010524746.tif 000002
【特許請求の範囲】
【請求項１】
第１の側と第２の側とを有するウェブを印刷する、ウェブ印刷機において、
ウェブの第１の側に第１の印像を印刷するための、第１の直径を有する第１の版胴と、
ウェブの第２の側に第２の印像を印刷するための、第１の直径とは異なる第２の直径を有する第２の版胴とが設けられていることを特徴とする、ウェブ印刷機。
【請求項２】
第２の直径が、第１の直径の整数倍である、請求項１記載のウェブ印刷機。
【請求項３】
第２の直径が、第１の直径の非整数倍である、請求項１記載のウェブ印刷機。
【請求項４】
第１の版胴に接触する第１のブランケット胴と、第２の版胴に接触する第２のブランケット胴とが設けられている、請求項１記載のウェブ印刷機。
【請求項５】
第１の版胴と、第２の版胴との少なくとも一方を駆動するための、少なくとも１つのモータが望けられている、請求項４記載のウェブ印刷機。
【請求項６】
少なくとも１つのモータが、第１の版胴を駆動する第１のモータと、第１のブランケット胴及び第２のブランケット胴を駆動する第２のモータと、第２の版胴を駆動する第３のモータとを含む、請求項５記載のウェブ印刷機。
【請求項７】
第１のブランケット胴又は第２のブランケット胴の外周面に、ブランケットが取り付けられている、請求項４記載のウェブ印刷機。
【請求項８】
第１の版胴又は第２の版胴の外周面に、少なくとも１つの刷版が取り付けられている、請求項１記載のウェブ印刷機。
【請求項９】
ウェブの第１の側における第１の印像が、ウェブの第２の側における第２の印像と同時に印刷される、請求項１記載のウェブ印刷機。
【請求項１０】
ウェブの第１の側における第１の印像が、ウェブの第２の側における第２の印像とは異なる時に印刷される、請求項１記載のウェブ印刷機。
【請求項１１】
第１の直径を有する第３の版胴と、第２の直径を有する第４の版胴とが設けられており、第３の版胴が、第１の版胴の下流において、ウェブの第１の側に印刷するためのものであり、第４の版胴が、第２の版胴の下流において、ウェブの第２の側に印刷するためのものである、請求項１記載のウェブ印刷機。
【請求項１２】
第１の版胴が、第１の色を印刷し、第３の版胴が、第２の色を印刷する、請求項１１記載のウェブ印刷機。
【請求項１３】
第２の版胴が、第１の色を印刷し、第４の版胴が、第２の色を印刷する、請求項１２記載のウェブ印刷機。
【請求項１４】
ウェブを印刷する方法において、
第１の直径を有する第１の版胴を使用して、ウェブの第１の側を印刷するステップと、
第２の直径を有する第２の版胴を使用して、ウェブの第２の側を印刷するステップとを含み、第１の直径が、第２の直径とは異なることを特徴とする、ウェブを印刷する方法。
【請求項１５】
第２の直径が、第１の直径の整数倍である、請求項１４記載の方法。
【請求項１６】
第２の直径が、第１の直径の非整数倍である、請求項１４記載の方法。
【請求項１７】
ウェブの第１の側と、ウェブの第２の側とが、同時に印刷される、請求項１４記載の方法。
【請求項１８】
ウェブの第１の側が、ウェブの第２の側とは異なる時に印刷される、請求項１４記載の方法。
【請求項１９】
第１の版胴の下流において、第１の直径を有する第３の版胴を使用して、ウェブの第１の側を印刷するステップと、第２の版胴の下流において、第２の直径を有する第４の版胴を使用して、ウェブの第２の側を印刷するステップとを含む、請求項１４記載の方法。
【請求項２０】
第１の版胴が、ウェブの第１の側に第１の色を印刷し、第３の版胴が、ウェブの第１の側に第２の色を印刷する、請求項１９記載の方法。
【請求項２１】
第２の版胴が、ウェブの第２の側に第１の色を印刷し、第４の版胴が、ウェブの第２の側に第２の色を印刷する、請求項２０記載の方法。
【発明の詳細な説明】
【技術分野】
【０００１】
本発明は、概して印刷機、特に一定のカットオフを備えた印刷機に関する。
【０００２】
米国特許第５８６８０７１号明細書は、可変カットオフ印刷機を開示している。印刷機は、１対の版胴と、１対のブランケット胴とを有しており、全ての胴は、円筒形のボディと、回転中心軸線とを有している。ブランケット胴は、調整軸線に対して垂直に、直線的に位置調整可能であり、これにより、版胴とブランケット胴との間の間隔を調整し、様々な厚さのブランケットスリーブを収容することができる。
【０００３】
米国特許第５９５０５３６号明細書は、非両面印刷の場合にフレームに取り付けられている押圧板、又は両面印刷の場合に版胴及びブランケット胴の、同一の、鏡像的なアセンブリを有する印刷機を開示している。版胴スリーブは可変であり、これにより、継目なしブランケット胴スリーブの外径を一定に維持しながら、印刷される印像の長さが、可変の外径に比例して変化させられる。
【０００４】
米国特許第７０３２５１５号明細書は、印刷機の既存のフレームに副フレームを取り付けることを開示している。既存の印刷機において使用される版胴及びブランケット胴とは異なる寸法を有する新たな版胴及びブランケットは、異なる印刷長さ／カットオフを提供するために副フレームに取り付けられることができる。
【０００５】
発明の簡単な概要
本発明は、第１の側と第２の側とを有するウェブを印刷するウェブ印刷機を提供し、このウェブ印刷機は：
ウェブの第１の側に第１の印像を印刷するための、第１の直径を有する第１の版胴と；
ウェブの第２の側に第２の印像を印刷するための、第１の直径とは異なる第２の直径を有する第２の版胴とを有している。
【０００６】
本発明は、ウェブを印刷する方法をも提供し、この方法は：
第１の直径を有する第１の版胴を使用して、ウェブの第１の側に印刷するステップと、
第２の直径を有する第２の版胴を使用して、ウェブの第２の側に印刷するステップとを有しており、第１の直径が第２の直径と異なる。
【０００７】
本発明の好適な実施形態が図面を参照しながら説明される。
【図面の簡単な説明】
【０００８】
【図１】本発明による印刷機を示している。
【図２】本発明による印刷機の第２の実施形態を示している。
【図３】図２に示された印刷機によってウェブに印刷された印像を示している。
【図４】図２に示された印刷機によってウェブに印刷された印像を示している。
【図５】図２に示された印刷機によってウェブに印刷された印像を示している。
【０００９】
好適な実施形態の詳細な説明
１つの印刷ユニットにおいて２つのカットオフを印刷する能力は、ウェブの一方の側が一回に印刷される、非両面印刷用途において有利である。２つの印刷対、すなわち、一定のカットオフを備える第１の印刷対と、異なる一定のカットオフを備える第２の印刷対とを有する印刷ユニットを含む印刷機においては、１つの印刷ユニットが、２つの異なるカットオフを印刷することができる。
【００１０】
１つの印刷ユニットにおいて２つの異なるカットオフを印刷することは、ウェブの両側が同時に印刷される印刷用途の場合にも有利である。２つの印刷対、すなわち一定のカットオフを備える第１の印刷対と、異なる一定のカットオフを備える第２の印刷対とを有する印刷ユニットを含む印刷機においては、１つの印刷ユニットが、２つの異なるカットオフを印刷することができる。適切な見当合せのために、一定のカットオフの長さは、互いに整数倍であってよい。
【００１１】
図１は、６つの印刷ユニット２０，３０，４０，５０，６０，７０を有する印刷機１０を示している。各印刷ユニットは、ウェブ１２に、異なる色、例えば、黄、マゼンタ、シアン、黒、金色又は銀色を印刷する。印刷ユニット２０は、２つの印刷対２３及び２７を有している。１つの対が、ウェブ１２のそれぞれの側に配置されている。各印刷対２３，２７は、版胴２２，２８と、関連するブランケット胴２４，２６とを有している。版胴２２の半径ＲＰ１は、例えば３．５０インチ（８．８９ｃｍ）である。ブランケット胴２４の半径ＲＢ１も例えば３．５０インチである。版胴２８の半径ＲＰ２は、例えば４．４６インチ（１１．３２ｃｍ）であり、ブランケット胴２６の半径ＲＢ２も、例えば４．４６インチである。
【００１２】
モータ８０は版胴２２を駆動する。第２のモータ８２は、ブランケット胴２４及び２６を駆動する。第３のモータ８４は版胴２８を駆動する。このモータ配列により、例えば非両面印刷のために又は刷版交換のために、版胴２２，２８とブランケット胴２４，２６との選択的な接触が可能になっている。その他のモータ配列、例えば、自動引き渡し印刷機におけるモータ配列も好適である。
【００１３】
印刷ユニット３０，４０，５０，６０，７０は、印刷ユニット２０と同様に配置されている。各印刷ユニット３０，４０，５０，６０，７０は、２つの印刷対３３，３７，４３，４７，５３，５７，６３，６７，７３，７７を有している。各印刷対３３，３７，４３，４７，５３，５７，６３，６７，７３，７７は、１つの版胴３２，３８，４２，４８，５２，５８，６２，６８，７２，７８と、関連するブランケット胴３４，３６，４４，４６，５４，５６，６４，６６，７４，７６とをそれぞれ有している。印刷機１０は、ロール１４と、巻取りロール１６とを有している。ウェブ１２は、ロール１４から巻取りロール１６まで走行する。ウェブ１２が印刷ユニット２０，３０，４０，５０，６０，７０によって印刷された後、ウェブ１２はドライヤ１８によって乾燥される。次いで、巻取りロール１６が取り外され、例えばパッケージング材料のために、適切な寸法に裁断される。さらに、印刷されたウェブは、別の印刷装置、例えばコータ、リワインダ、シータ、折り機、又はその他のインライン仕上げ装置へ供給されてよい。
【００１４】
印刷対２３，３３，４３，５３，６３，７３がウェブ１２において印刷している非両面印刷用途の間、半径ＲＰ１が３．５０インチ（８．８９ｃｍ）である場合、カットオフは２２インチ（５５．８８ｃｍ）である。印刷対２７，３７，４７，５７，６７，７７がウェブ１２に印刷している非両面印刷用途の間、半径ＲＰ２が４．４６インチ（１１．３２ｃｍ）である場合、カットオフは２８インチ（７１．１２ｃｍ）である。このように、印刷機１０は、ウェブ１２に、２２インチと２８インチの２つの異なるカットオフを提供することができる。
【００１５】
印刷対において、ブランケット胴が、関連する版胴と同じ半径、又は関連する版胴の半径の整数倍の半径を有していることが好適である。例えば、印刷対２３において、版胴２２の半径ＲＰ１は３．５０インチ（８．８９ｃｍ）であり、ブランケット胴２４の半径ＲＢ１も３．５０インチ（８．８９ｃｍ）である。
【００１６】
本発明の第２の実施形態、すなわち印刷機１１０が、図２に示されている。印刷機１１０は、ウェブ１１２の両側が同時に印刷される場合に好適である。印刷機１１０は、４色印刷区分１０２を有している。印刷区分１０２は、４つの印刷ユニット１２０，１３０，１４０，１５０を含んでいる。各印刷ユニット１２０，１３０，１４０，１５０は、ウェブ１１２に、異なる色、例えば、黄、マゼンタ、シアン又は黒を印刷する。印刷ユニット１２０は、２つの印刷対１２３及び１２７を有しており、１つの対がウェブ１１２のそれぞれの側に配置されている。各印刷対１２３，１２７は、版胴１２２，１２８と、関連するブランケット胴１２４，１２６を有している。版胴１２２の半径ＲＰ３は、例えば３．５０インチ（８．８９ｃｍ）である。ブランケット胴１２４の半径ＲＢ３も、例えば３．５０インチ（８．８９ｃｍ）である。版胴１２８の半径ＲＰ４は、例えば７．００インチ（１７．７８ｃｍ）であり、ブランケット胴１２６の半径ＲＢ４も、例えば７．００インチ（１７．７８ｃｍ）である。
【００１７】
各版胴及びブランケット胴は、それぞれ刷版及びブランケットを有していてよい。印刷ユニット１２０に示されているように、刷版２２２は、版胴１２２の外周面に取り付けられており、刷版２２８は、版胴１２８の外周面に取り付けられている。ブランケット２２４はブランケット胴１２４に取り付けられている。ブランケット２２６はブランケット胴１２６に取り付けられている。ブランケット２２４，２２６は、継目のない、軸方向に取外し可能なブランケットスリーブである。
【００１８】
印刷ユニット１３０に示された別の好適な実施形態において、版胴は、複数の刷版を支持する、複数刷版ロックアップ機構を有していてよい。版胴１３８は、２つの刷版ロックアップ機構１６０及び１６２を有している。２つの刷版２３８及び２３９は、版胴１３８に取り付けられている。刷版２３８及び２３９は、同じ印像又は異なる印像を有していてよい。印刷ユニット１４０に示された別の好適な実施形態において、版胴１４２，１４８は、直接に印像が形成されてよく、刷版を支持する必要はない。
【００１９】
モータ１８０は版胴１２２を駆動する。第２のモータ１８２はブランケット胴１２４及び１２６を駆動する。第３のモータ１８４は版胴１２８を駆動する。このモータ配列により、例えば非両面印刷のために、又は刷版交換のために、版胴１２２，１２８とブランケット胴１２４，１２６との間の選択的な接触が可能になっている。その他のモータ配列、例えば、自動引き渡し印刷機におけるモータ配列も好適である。
【００２０】
印刷ユニット１３０，１４０，１５０は、印刷ユニット１２０と同様に配置されている。各印刷ユニット１３０，１４０，１５０は、２つの印刷対１３３，１３７，１４３，１４７，１５３，１５７を有している。各印刷対１３３，１３７，１４３，１４７，１５３，１５７は、１つの版胴１３２，１３８，１４２，１４８，１５２，１５８と、関連するブランケット胴１３４，１３６，１４４，１４６，１５４，１５６とをそれぞれ有している。印刷機１１０は、フォーマ１０６のロールトップと、ニップローラ１０８と、裁断胴１１４と、羽根車１１６とを含む折り機１０４も有している。ウェブ１１２は、印刷区分１０２と、折り機１０４とを通過し、折り機１０４において、ウェブは処理され、被印刷製品に折り畳まれる。
【００２１】
ウェブ１１２の両側が同時に印刷される印刷用途の間、版胴１２８，１３８，１４８，１５８の半径は、版胴１２２，１３２，１４２，１５２の半径の整数倍であるべきである。半径ＲＰ３と半径ＲＰ４とのこの関係は、ウェブ１１２に印刷される印像の適切な周方向の見当合せを維持するために必要とされる。例えば、版胴１２２は、３．５０インチ（８．８９ｃｍ）の半径ＲＰ３と、２２インチ（５５．８８ｃｍ）のカットオフとを有している。版胴１２８は、７．００インチ（１７．７８ｃｍ）の半径ＲＰ４と、４４インチ（１１１．７６ｃｍ）のカットオフとを有している。版胴１２８の半径ＲＰ４は、版胴１２２の半径ＲＰ３の２倍である。このように、２つの印像は、ウェブ１１２に、ブランケット胴１２４によって版胴１２２を介して印刷され、同じ長さで、１つの印像が、ウェブ１１２に、ブランケット１２６によって版胴１２８を介して印刷される。
【００２２】
図３、図４及び図５は、ウェブ１１２に印刷された印像を示している。図３において、印刷対１２３（図２）は、ウェブ１１２の上側２１０に印像Ａを印刷するのに対し、印像Ｃ及びＤは、下側２１２において、印刷対１２７（図２）によって、ウェブ１１２の同じ長さに沿って、印刷される。この実施形態において、２つの刷版が、版胴１２８の外周面に取り付けられているか、印像Ｃ及びＤを含む１つの刷版が取り付けられていてよい。
【００２３】
図４において、印像Ｂは、例えば印刷対１２７によって、ウェブ１１２の下側２１２に印刷されるのに対し、印刷対１２３（図２）は、ウェブ１１２の同じ長さに沿って、上側２１０に２つの印像Ａを印刷する。版胴１２２及び１２８の直径が整数倍ではないならば、一方の側における印像の位置は、他方の側における印像の位置に対してずれる可能性がある。両面印刷の間に適切な周方向見当合せを維持するために、印像Ａ及びＢ及び印像Ａ，Ｃ，Ｄを有する版胴１２２及び１２８の直径は、互いに整数倍であるべきである。このように、結果的に印刷されたウェブは、ウェブ１１２の一方の側における多数の反復する印像と、ウェブ１１２の他方の側における全印刷長さとを有する。
【００２４】
図５は、例えば印刷対１２７によって、ウェブ１１２の下側２１２に印刷された２つの印像Ｂを示しているのに対し、印刷対１２３（図２）は、ウェブ１１２の同じ長さに沿って、上側２１０に２つの印像Ａを印刷する。このように、印刷機１１０は、ウェブ１１２を慣用的に印刷するために、例えば、下側２１２における印像Ｂに対応する、ウェブ１１２に沿って繰り返された、上側２１０における印像Ａを印刷するために使用されてもよい。
【００２５】
前記明細書において、発明は、典型的な実施形態及び実施例に関して説明されている。しかしながら、請求の範囲に示された発明のより広い精神及び範囲から逸脱することなく、前記実施形態及び実施例に対して様々な変更が加えられてもよいことは明らかであろう。したがって、明細書及び図面は、制限的な意味ではなく、例示的な形式で見なされるべきである。
【符号の説明】
【００２６】
１２  ウェブ、  １８  ドライヤ、  ２０，３０，４０，５０，６０，７０  印刷ユニット、  ２２，２８  版胴、  ２３，２７  印刷対、  ２４，２６  ブランケット胴、  ８０，８２，８４  モータ、  ３３，３７，４３，４７，５３，５７，６３，６７，７３，７７  印刷対、  ３２，３８，４２，４８，５２，５８，６２，６８，７２，７８  版胴、  ３４，３６，４４，４６，５４，５６，６４，６６，７４，７６  ブランケット胴、  １０２  印刷区分、  １０４  折り機、  １０６  フォーマ、  １０８  ニップローラ、  １１０  印刷機、  １１２  ウェブ、  １１４  裁断胴、  １１６  羽根車、  １２０，１３０，１４０，１５０  印刷ユニット、  １２３，１２７  印刷対、  １２４，１２６  ブランケット胴、  １２８  版胴、  １８０，１８２，１８４  モータ、  ２２２  刷版、  ２２４，２２６  ブランケット、  ２３８，２３９  刷版
【図１】
2010524746.tif 000003
【図２】
2010524746.tif 000004
【図３】
2010524746.tif 000005
【図４】
2010524746.tif 000006
【図５】
2010524746.tif 000007
【国際調査報告】
2010524746.tif 000008